(57)【特許請求の範囲】
【請求項１】
廃棄物を乾燥させつつ不燃物と可燃物とに選別する乾燥機構付選別機であって、
（ａ）上流側から下流側にかけて下り傾斜となるように配置されるとともに、上流側内周に撹拌翼を有し、かつ下流側に内部に投入される廃棄物中の不燃物を外部へ排出するふるい目を有する円筒体、
（ｂ）前記円筒体を回転させる回転手段および
（ｃ）前記円筒体の内部に乾燥用ガスを供給する送風手段
を備えることを特徴とする乾燥機構付選別機。
【請求項２】
前記円筒体の外周側を覆うように配設され、かつ前記不燃物の排出部および可燃物の排出部を有する被覆体が設けられ、この被覆体が静止固定されてその内部が略密閉状態とされる構造である請求項１に記載の乾燥機構付選別機。
【請求項３】
前記不燃物および可燃物の各排出部に、ダブルダンパもしくはロータリーダンパが設けられる請求項１または２に記載の乾燥機構付選別機。
【請求項４】
前記乾燥用ガスは熱風であり、廃棄物の流れに並流するように供給される請求項１乃至３のうちのいずれかに記載の乾燥機構付選別機。
【発明の詳細な説明】
【０００１】
【発明の属する技術分野】
本発明は、廃棄物を乾燥しつつ選別し、不燃物と可燃物とに選別する乾燥機構付選別機に関するものである。
【０００２】
【従来の技術】
一般に、都市ごみや産業廃棄物などの処理方法として、例えばストーカー式焼却炉や流動床式焼却炉を用いて焼却による処理が行われているが、近年ではごみの減量問題，環境問題，資源の有効利用の高まりから、ごみを例えばＲＤＦ（Ｒｅｆｕｓｅ  Ｄｅｒｉｖｅｄ  Ｆｕｅｌ：ごみ固形燃料）に変えて、資源としての再利用，有効利用を図ることが行われている。
【０００３】
従来、都市ごみ等の廃棄物は破砕処理等された後、例えば回転ふるい（トロンメル），振動ふるい，風力選別機等の選別機によりその破砕廃棄物が珪素を含むガラス・土砂類やアルミ缶・スチール缶等の不燃性ごみと可燃性ごみとに選別されている。このように選別された廃棄物のうち、可燃性のごみが乾燥・圧縮成形されてＲＤＦとして用いられている。
【０００４】
【発明が解決しようとする課題】
しかしながら、前記回転ふるい（トロンメル），振動ふるい，風力選別機等の選別機によりその破砕廃棄物を可燃性ごみと不燃性ごみとに選別する場合、可燃性ごみは水分を多く含み、ガラス・土砂等の径の小さい不燃性ごみを吸着しているため、選別後の可燃性ごみ中には多くの不燃性ごみが含まれ、可燃性ごみと不燃性ごみとの選別が確実に行われていない問題点がある。
【０００５】
また、このような選別機で選別された可燃性ごみを用いて製造されたＲＤＦを燃焼炉内で燃焼させた場合、可燃物に吸着されていたガラス・土砂等の径の小さい不燃性ごみに含まれる珪素成分がクリンカとなって燃焼炉内に付着し、燃焼効率を低下させるという問題点もある。
【０００６】
前述の問題点を解消するために、破砕された廃棄物の選別機による選別工程前に、乾燥機によって廃棄物を乾燥させることも考えられるが、乾燥機と選別機とを併設するのでは大きな設置面積が必要になるとともに、コストアップが避けられない問題点がある。
【０００７】
本発明は、このような問題点を解消するためになされたもので、装置の大型化およびコストアップを招くことなく、廃棄物を可燃性ごみと不燃性ごみとに正確に選別することができる乾燥機構付選別機を提供することを目的とするものである。
【０００８】
【課題を解決するための手段および作用・効果】
前述された目的を達成するために、本発明による乾燥機構付選別機は、
廃棄物を乾燥させつつ不燃物と可燃物とに選別する乾燥機構付選別機であって、
（ａ）上流側から下流側にかけて下り傾斜となるように配置されるとともに、上流側内周に撹拌翼を有し、かつ下流側に内部に投入される廃棄物中の不燃物を外部へ排出するふるい目を有する円筒体、
（ｂ）前記円筒体を回転させる回転手段および
（ｃ）前記円筒体の内部に乾燥用ガスを供給する送風手段
を備えることを特徴とするものである。
【０００９】
本発明においては、円筒体内部に投入された廃棄物がその円筒体の回転と下り傾斜とにより緩やかに前進され、その上流側内周に設けられる撹拌翼により撹拌され、その円筒体内部に送風手段から供給される乾燥用ガスにより乾燥される。こうして廃棄物が乾燥および撹拌されることにより、廃棄物中の可燃物に付着している例えば小径の不燃物等が分離され、前記円筒体の下流側に設けられるふるい目により可燃物と不燃物とが選別される。
【００１０】
本発明によれば、従来可燃物に付着して可燃物として回収されていた小径の不燃物等を不燃物として回収することができ、可燃物の純度を上げて選別効率を向上させることができる効果を奏する。したがって、回収された可燃物を原料としてＲＤＦ等の固形化燃料を製造して使用した場合であっても、燃焼炉にクリンカが発生する等の不具合を軽減することができる。また、装置の大型化が抑制され、設置面積やコストの上でも経済的である。
【００１１】
本発明においては、前記円筒体の外周側を覆うように配設され、かつ前記不燃物の排出部および可燃物の排出部を有する被覆体が設けられ、この被覆体が静止固定されてその内部が略密閉状態とされる構造であるのが好ましい。こうして円筒体内部に供給される乾燥用ガスが外部に流出するのが防止されるため、円筒体内部の廃棄物を効率よく乾燥させることができる効果を奏する。
【００１２】
本発明においては、前記不燃物および可燃物の各排出部に、ダブルダンパもしくはロータリーダンパが設けられるのが好ましい。こうすることにより、前記乾燥用ガスが不燃物もしくは可燃物の排出の際に排出部から流出するのを防止することができ、乾燥効率を維持することができる効果を奏する。
【００１３】
本発明において、前記乾燥用ガスは熱風であり、廃棄物の流れに並流するように供給されるのが好ましい。こうすることにより廃棄物の流れに対して下流側の円筒体内部を低温にすることができ、廃棄物が溶融して円筒体の下流側に設けられるふるい目を塞ぐのを防止することができる効果を奏する。
【００１４】
【発明の実施の形態】
次に、本発明による乾燥機構付選別機の具体的な実施の形態につき、図面を参照しつつ説明する。
【００１５】
本発明の一実施例に係る乾燥機構付選別機の概略構成図が図１に示され、同乾燥機構付選別機の駆動機構を説明する説明図が図２（ａ）（ｂ）（ｃ）に示されている。
【００１６】
本実施例の乾燥機構付選別機１においては、円筒状の回転ドラム（本発明における円筒体に相当する。）２の外周側で、かつその回転ドラム２を覆うようにケーシング（本発明における被覆体に相当する。）３が設けられ、この回転ドラム２およびケーシング３の両端部はそれぞれ上流側フード４および下流側フード５により覆われている。前記上流側フード４を通して回転ドラム２の上流側内部には、ホッパ６を備える搬送装置７が挿入されている。
【００１７】
前記上流側フード４には、図示されない熱風供給装置（本発明における送風手段に相当する。）に接続される熱風供給口８が設けられ、この熱風供給装置（本発明における送風手段に相当する。）により前記回転ドラム２内に熱風（回転ドラム２中間付近で約１００℃）が押し込まれるようにされている。一方、前記下流側フード５の上部には、前記回転ドラム２内に押し込まれた熱風を外部へ吸出する熱風吸出口９が設けられている。
【００１８】
前記回転ドラム２は上流側から下流側にかけて下り傾斜となるように配置されており、その回転ドラム２の下流側にはガラス・土砂等の小径の不燃物およびスチール缶・アルミ缶等の不燃物を外部へ排出する複数のふるい目１０が設けられている。また、回転ドラム２の上流側内周には複数枚の撹拌翼１１が取り付けられている。
【００１９】
前記ケーシング３の下流側下部には、前記回転ドラム２のふるい目１０を通過して落下する不燃物を回収する不燃物排出シュート（本発明における不燃物の排出部に相当する。）１２が設けられている。また、前記下流側フード５の下部には、回転ドラム２のふるい目１０上を通過して下流側フード５内へ流入された廃棄物（すなわち、可燃物）を回収する可燃物排出シュート（本発明における可燃物の排出部に相当する。）１３が設けられている。これら不燃物排出シュート１２および可燃物排出シュート１３にはそれぞれダブルダンパ１４，１５が設けられており、前記排出シュート１２，１３を経てケーシング３内の熱風が外部に流出しないようにされている。なお、前記上流側フード４の下部にはダブルダンパ１６を備えるメンテナンス用シュート１７が設けられている。
【００２０】
図２（ａ）に示されるように、前記上流側フード４内の回転ドラム２下部にはギア１８が設けられ、このギア１８に連結されるシャフト１９がその上流側フード４の上流側端面４ａを貫通して外部に配置される電動機２０に接続されており、前記回転ドラム２のみが回転するようにされている。なお、前記上流側フードの上流側端面４ａに設けられるシャフト１９の挿通孔１９ａには、図示されないシールが介挿されている。なお、本実施例におけるギア１８，シャフト１９および電動機２０は、本発明における回転手段に相当する。
【００２１】
このように構成される乾燥機構付選別機１においては、予め破砕された廃棄物Ｗがホッパ６内に投入され、前記搬送装置７により上流側フード４を経て回転ドラム２内へ搬送される。この回転ドラム２は前記電動機２０の駆動力がシャフト１９およびギア１８を介して伝達されて回転されており、この回転ドラム２内に供給された廃棄物Ｗは、その回転ドラム２の回転と下り傾斜とによりゆるやかに前進し、その内部上流側に取り付けられる撹拌翼１１により撹拌される。
【００２２】
また、前記上流側フード４に設けられる熱風供給口８から回転ドラム２内に供給された熱風が下流側フード５の上部に備えられる熱風吸出口９から回収され、廃棄物Ｗの流れ方向と同方向に流れるようにされており、この熱風によって廃棄物Ｗ中の水分が蒸発する。こうして廃棄物を乾燥させることにより、水分を多く含む可燃物に付着されていた小径の不燃物が可燃物から分離される。なお、前記回転ドラム２内（ケーシング３内）の内気圧が略０ｍｍＡｑ程度になるように、前記熱風供給口８からの熱風供給量および熱風吸出口９からの熱風吸引量が調整されているとともに、前記熱風の温度が回転ドラム２の中間付近で約１００℃前後になるようにされている。
【００２３】
次いで、前記回転ドラム２の下流側へ搬送された廃棄物Ｗのうち小径の不燃物やアルミ缶・スチール缶等の不燃物Ｗ１が、その回転ドラム２下流側周囲に設けられるふるい目１０を通過して回転ドラム２外へ排出され、前記不燃物排出シュート１２およびダブルダンパ１４を経て回収される。
【００２４】
一方、前記ふるい目１０により排出されない廃棄物（すなわち、可燃物Ｗ２）はそのまま下流側フード５へ搬送され、その下流側フード５の下部に設けられる可燃物排出シュート１３およびダブルダンパ１５を経て回収される。
【００２５】
図３には、廃棄物Ｗ中の水分と除去される灰分（本実施例では、ガラス類・土砂類・アルミ缶・スチール缶等の不燃物）の割合が示されている。図示されるように、廃棄物Ｗ中の水分が少ないほど除去される灰分の割合が高いことが明らかである。
【００２６】
本実施例によれば、回転ドラム２内に投入された廃棄物Ｗが回転ドラム２内に供給される熱風により乾燥された後、可燃物に付着した小径の不燃物をその可燃物から分離させた状態で、下流側に設けられるふるい目１０により可燃物と不燃物との選別が行われるため、装置を大型化させることなく選別効率を向上させることができる効果を奏する。また、本実施例においては、従来の乾燥機（もしくは選別機）の大きさと略同程度であるため、前記乾燥機と選別機とを併設したシステムに比べてコストや設置面積を極めて低減させることができる。
【００２７】
また、本実施例の乾燥機構付選別機１から回収される可燃物Ｗ２を用いて製造されたＲＤＦでは廃棄物中のガラス類・土砂類が確実に除去されているため、このＲＤＦを使用する際に燃焼炉に付着するクリンカ等の不具合を抑制することができるという効果を奏する。
【００２８】
本実施例によれば、回転ドラム２内の内気圧が略０ｍｍＡｑ程度とされるとともに、各シュート１２，１３，１７にダブルダンパ１４，１５，１６が装着されているため、回転ドラム２（ケーシング３）内の気密性が保持されて、乾燥効率が保持されている。
【００２９】
本実施例によれば、廃棄物Ｗの流れ方向に熱風が供給され、その熱風が回転ドラム２の略中間付近で約１００℃前後となるようにされているため、廃棄物Ｗ中に含まれるプラスチック類が溶融してふるい目１０を塞ぐのを防止することができる。
【００３０】
本実施例においては、図２（ａ）に示されるように、電動機２０に接続されるシャフト１９が上流側フード４の上流側端面４ａを通過してギア１８に連結され、そのギア１８の回転により回転ドラム２が回転するようにされているが、これに限らず、図２（ｂ）に示されるように電動機２０’に接続されるシャフト１９’を上流側フード４の側面（またはケーシング側面）を通してウォームギア１８’に連結させて回転ドラム２を回転させるようにしてもよく、また図２（ｃ）に示されるように駆動軸２０”の駆動力をチェーン１９”を介して回転ドラム２に伝達させるようにしてもよい。なお、これら回転駆動機構は、廃棄物の絡まり等を考慮して上流側フードもしくは回転ドラム上流側に備えられるのが好ましいが、下流側フードもしくは回転ドラム下流側のいずれか一方のみに備えることも可能である。
【００３１】
また、本実施例においては、回転ドラム２の上流側内周に複数枚の撹拌翼１１が設けられているが、これに限らず、回転ドラム２の内周全体に複数枚の撹拌翼を設けるようにしてもよい。
【００３２】
本実施例においては、各排出シュートにダブルダンパが設けられているが、これに限らず、ロータリーダンパを設けるようにしても同様の効果を得ることができる。
【００３３】
本発明の乾燥機構付選別機においては、ＲＤＦ等の固形化燃料の原料となり、かつ小径の不燃物および水分が多く含まれている廃棄物を選別する場合に非常に有用である。
【図面の簡単な説明】
【図１】図１は、本発明の一実施例に係る乾燥機構付選別機の概略構成図である。
【図２】図２（ａ）（ｂ）（ｃ）は、本実施例の回転ドラムの駆動機構を説明する説明図である。
【図３】図３は、廃棄物Ｗ中の水分と除去される灰分の割合を示すグラフである。
【符号の説明】
１  乾燥機構付選別機
２  回転ドラム
３  ケーシング
４  上流側フード
５  下流側フード
６  ホッパ
７  搬送装置
８  熱風供給口
９  熱風吸出口
１０  ふるい目
１１  撹拌翼
１２  不燃物排出シュート
１３  可燃物排出シュート
１４，１５，１６  ダブルダンパ
１７  メンテナンス用シュート
１８  ギア
１９，１９’  シャフト
１９”  チェーン
２０，２０’  電動機
２０”  駆動軸
【図１】
0003634646.tif 000002
【図２】
0003634646.tif 000003
【図３】
0003634646.tif 000004